(57)【要約】 【課題】  製造時の工程時間を短縮することが出来るＰＤＰを提供する。【解決手段】  放電空間を挟んで対向される前面ガラス基板１０に行方向に延び列方向に並設された複数の行電極対（Ｘ１，Ｙ１）が設けられ、背面ガラス基板１５に列方向に延び行方向に並設された列電極Ｄ１が設けられ、行電極対（Ｘ１，Ｙ１）と列電極Ｄ１が交差する部分の放電空間に構成される放電セルＣ１が略梯子形状の隔壁１７によってそれぞれ区画され、隔壁１７の横壁１７Ａａと１７Ａｂの間に行方向に延びる通気路ＡＷ１が設けられ、この通気路ＡＷ１の列方向において両側に位置する放電セルＣ１のうちの一方が、通気路ＡＷ１に連通されている。【選択図】    図３
2005174659.tif 000002
【特許請求の範囲】
【請求項１】
放電空間を挟んで対向される一対の基板の何れかの基板に行方向に延び列方向に並設された複数の行電極対が設けられ、何れかの基板に列方向に延び行方向に並設された列電極が設けられ、行電極対と列電極が交差する部分の放電空間に構成される単位発光領域が行方向に延びる横壁部と列方向に延びる縦壁部を有する隔壁によってそれぞれ区画されたプラズマディスプレイパネルにおいて、
前記隔壁の各横壁部に行方向に延びる通気路が設けられ、この通気路の列方向において両側に位置する単位発光領域のうちの一方が、それぞれ通気路に連通されていることを特徴とするプラズマディスプレイパネル。
【請求項２】
前記隔壁が、行方向に平行に延びる二本の横壁とこの二本の横壁間を列方向に延びる縦壁によって略梯子形状に成形された複数の梯子状隔壁が列方向に並設されることによって構成され、隣接する梯子状隔壁の背中合わせに位置する横壁の間に通気路が形成されている請求項１に記載のプラズマディスプレイパネル。
【請求項３】
前記隔壁の横壁部に行方向に延びる凹溝が形成されて、この凹溝によって通気路が形成されている請求項１に記載のプラズマディスプレイパネル。
【請求項４】
前記隔壁が、単位発光領域を行電極対の行電極間での放電が発生される表示放電領域と行電極対の一方の行電極と列電極間での放電が発生される選択放電領域とに区画する行方向に延びる仕切壁を有し、各単位発光領域の表示放電領域と選択放電領域が仕切壁を挟んで連通されているとともに、各選択放電領域が通気路に連通されている請求項１に記載のプラズマディスプレイパネル。
【請求項５】
前記行電極対の一方の行電極が、選択放電領域に対向する位置に向かって延びて列電極に対向される延長電極部を有している請求項４に記載のプラズマディスプレイパネル。
【請求項６】
前記行電極対が形成されている基板にこの行電極対を被覆する誘電体層が形成され、この誘電体層と通気路の両側に位置する単位発光領域のうちの一方の単位発光領域と通気路の間に位置する横壁部の部分とが離間していて、この横壁部の部分と誘電体層との間に形成される隙間を介して一方の単位発光領域と通気路とが連通されている請求項１に記載のプラズマディスプレイパネル。
【請求項７】
前記行電極対が形成されている基板に行電極対を被覆する誘電体層が形成され、この誘電体層に放電空間側に突出して行方向に延びる嵩上げ誘電体層が形成されて、この嵩上げ誘電体層が通気路の両側に位置する単位発光領域のうちの他方の単位発光領域と通気路の間に位置する横壁部の部分に当接されることによって、他方の単位発光領域と通気路との間が閉じられている請求項１に記載のプラズマディスプレイパネル。
【請求項８】
前記行電極対が形成されている基板に行電極対を被覆する誘電体層が形成され、この誘電体層に放電空間側に突出して列方向に延びる嵩上げ誘電体層が形成されて、この嵩上げ誘電体層が縦壁部に当接されることによって、行方向において隣接する単位発光領域の間が閉じられている請求項１に記載のプラズマディスプレイパネル。
【請求項９】
パネルの表示側に位置する前記基板側の少なくとも通気路に対向する部分に、黒色または暗色の光吸収層が形成されている請求項１に記載のプラズマディスプレイパネル。
【請求項１０】
パネルの表示側に位置して前記行電極対が形成されている基板に行電極対を被覆する誘電体層が形成され、この誘電体層の少なくとも通気路に対向する部分に放電空間側に突出して行方向に延びる黒色または暗色の嵩上げ誘電体層が形成されて、この嵩上げ誘電体層によって光吸収層が構成されている請求項９に記載のプラズマディスプレイパネル。
【請求項１１】
パネルの表示側に位置する前記基板側の少なくとも選択放電領域と通気路に対向する部分に、黒色または暗色の光吸収層が形成されている請求項４に記載のプラズマディスプレイパネル。
【請求項１２】
パネルの表示側に位置して前記行電極対が形成されている基板に行電極対を被覆する誘電体層が形成され、この誘電体層の少なくとも選択放電領域と通気路に対向する部分に放電空間側に突出して行方向に延びる黒色または暗色の嵩上げ誘電体層が形成されて、この嵩上げ誘電体層によって光吸収層が構成されている請求項１１に記載のプラズマディスプレイパネル。
【発明の詳細な説明】
【技術分野】
【０００１】
この発明は、面放電方式交流型プラズマディスプレイパネルのパネル構造に関する。
【背景技術】
【０００２】
近年、大型で薄型のカラー画面表示装置として面放電方式交流型プラズマディスプレイパネル（以下、ＰＤＰという）が注目を集めており、家庭への普及も拡大して来ている。
【０００３】
このＰＤＰは、所要の間隔（放電空間）を開けて対向された二枚のガラス基板のそれぞれの内面側に、行電極対と列電極が互いに直交する向きに形成されて、この行電極対と列電極が交差する部分の放電空間に放電セル（単位発光領域）が形成され、各放電セル毎に赤，緑，青の三原色に色分けされた蛍光体層が形成されていて、行電極と列電極との間で行われるアドレス放電によって選択された放電セル（発光セル）内において、行電極対の行電極間でサステイン放電が行われて赤，緑，青の蛍光体層が発光することにより、パネル面に映像信号に対応した画像を形成するようになっているものである。
【０００４】
そして、近年は、二枚のガラス基板の間に設けられた格子形状の隔壁によって、放電空間が放電セル毎に行方向および列方向に区画されているＰＤＰが主流になっている。
【０００５】
このような構成のＰＤＰの製造は、内面側にそれぞれの構造物が形成された二枚のガラス基板が平行に対向された後、周縁部が封着されてこの二枚のガラス基板の間の空間（放電空間）が密閉される。
【０００６】
そして、この放電空間内から排気が行われた後、真空状態の放電空間内に放電ガスが導入されて封入される。
【０００７】
このようなＰＤＰの製造工程において、上述したような格子形状の隔壁を備えたＰＤＰの製造を行う場合には、放電空間が格子形状の隔壁によって放電セル毎に区画されていて、隣接する放電セルのそれぞれの間が閉じられているために、放電空間内からの排気や放電空間内への放電ガスの導入の際に、各放電セル内からの排気や放電セル内への放電ガスの導入を十分に行うことが出来ないという問題が発生する。
【０００８】
このような製造工程における問題を解決するために、従来、図１に示されるような構成を備えたＰＤＰが提案されている。
【０００９】
すなわち、この図１のＰＤＰは、前面ガラス基板１と対向される背面ガラス基板２上に、列方向に延びる縦壁３Ａと行方向に延びる横壁３Ｂとによって格子形状に成形された隔壁３が形成されており、この隔壁３によって、前面ガラス基板１と背面ガラス基板２の間の放電空間が放電セルＣ毎に区画されている。
【００１０】
そして、この隔壁３は、縦壁３Ａの高さが横壁３Ｂよりも高くなるように成形されていて、この縦壁３Ａの頂面が前面ガラス基板１の内面側に形成された誘電体層１Ａを被覆する保護層１Ｂに当接され、縦壁３Ａよりも高さが低い横壁３Ｂと保護層１Ｂとの間に両側の放電セルＣに連通された隙間が形成されて、この隙間によって通気路ＡＷが構成されている。
【００１１】
この従来のＰＤＰの縦壁３Ａと横壁３Ｂの高低差は、隔壁３を形成する材料の高さ方向の熱収縮量を不均一にすることによって形成される。
【００１２】
なお、図１中、ＸおよびＹは前面ガラス基板１の内面側に形成された行電極であり、Ｄは、背面ガラス基板２上に形成された列電極であり、２Ａは、この列電極Ｄを被覆する列電極保護層であり、２Ｂは、各放電セルＣ内に形成された蛍光体層である（特許文献１参照）。
【００１３】
この従来のＰＤＰは、製造工程において、横壁３Ｂと前面ガラス基板１側の保護層１Ｂとの間に形成された通気路ＡＷを介して各放電セルＣからの排気とこの放電セルＣへの放電ガスの導入が行われるようにすることによって、隔壁３を設けたことによる前述したような製造工程時に発生する問題を解決しようとしている。
【００１４】
しかしながら、この図１の従来のＰＤＰの構成では、排気と放電ガスの導入を行う通気路ＡＷが、縦壁３Ａと横壁３Ｂの高低差によって形成されているために非常に狭く、このために、パネルの中央部分と周縁部分とでは中央部分の放電セルＣからの排気効率が悪くなって、排気工程時に排気むらが発生するので、パネルの全面に亘って排気が均一に行われるまで、長い工程時間を要してしまうという問題が発生する。
【００１５】
また、上記従来のＰＤＰにおいては、通気路ＡＷを形成するための縦壁３Ａと横壁３Ｂの高低差が、隔壁３を形成する材料の高さ方向の熱収縮量を不均一にすることによって形成されているので、通気路ＡＷの開口面積が場所によって不均一になる虞があり、これによっても、排気工程時に排気むらが発生する虞がある。
【００１６】
さらに、上記従来のＰＤＰの構成では、隣接する放電セルＣ間が通気路ＡＷを介して互いに連通されているために、画像形成の際のアドレス放電やサステイン放電が、隣接する他の放電セルＣに飛び火して誤放電を発生する虞があるという新たな問題が発生する。
【発明の開示】
【発明が解決しようとする課題】
【００１７】
この発明は、上記のような面放電方式交流型プラズマディスプレイパネルにおける製造工程時の問題点を解決することをその技術的課題の一つとしている。
【課題を解決するための手段】
【００１８】
この発明（請求項１に記載の発明）によるプラズマディスプレイパネルは、上記目的を達成するために、放電空間を挟んで対向される一対の基板の何れかの基板に行方向に延び列方向に並設された複数の行電極対が設けられ、何れかの基板に列方向に延び行方向に並設された列電極が設けられ、行電極対と列電極が交差する部分の放電空間に構成される単位発光領域が行方向に延びる横壁部と列方向に延びる縦壁部を有する隔壁によってそれぞれ区画されたプラズマディスプレイパネルにおいて、前記隔壁の各横壁部に行方向に延びる通気路が設けられ、この通気路の列方向において両側に位置する単位発光領域のうちの一方が、それぞれ通気路に連通されていることを特徴としている。
【発明を実施するための最良の形態】
【００１９】
この発明におけるプラズマディスプレイパネル（ＰＤＰ）は、放電空間を挟んで前面ガラス基板と背面ガラス基板とが対向され、前面ガラス基板側に行方向に延び列方向に並設された複数の行電極対が形成され、背面ガラス基板に列方向に延び行方向に並設された列電極が形成されて、この前面ガラス基板の行電極対と背面ガラス基板の列電極が交差する部分の放電空間に放電セルが構成され、この各放電セルが、前面ガラス基板と背面ガラス基板の間に形成された行方向に延びる横壁と列方向に延びる縦壁を有する略格子形状の隔壁によって、それぞれ列方向および行方向に区画されており、列方向において隣接する放電セルの間に位置する隔壁の横壁部分に行方向に延びる通気路が設けられていて、この通気路の列方向において両側に位置する放電セルのうちの一方がそれぞれ通気路に連通されているプラズマディスプレイパネルを、その最良の実施形態としている。
【００２０】
この実施形態におけるプラズマディスプレイパネルは、その製造工程において、行電極対その他の構造物が形成された前面ガラス基板と列電極や隔壁その他の構造物が形成された背面ガラス基板とが、それぞれの構造物が形成された内面側を対向された状態で平行に配置されて、周縁部が封着されることによって内側の放電空間が密閉され、この後、背面ガラス基板側に形成された排気孔から放電空間内の空気が排気されて、最後に、この真空の放電空間内に放電ガスが導入されて排気孔が封止される。
【００２１】
この製造工程において、密閉された放電空間内からその中の空気が排気される際に、隔壁の横壁部に形成された通気路と、この通気路の列方向において両側に位置する単位発光領域のうちの一方の単位発光領域とがそれぞれ連通されていることによって、この通気路を通って、隔壁によって行方向および列方向に区画された単位発光領域内の空気が外部に排出される。
【００２２】
格子形状の隔壁によって放電空間が単位発光領域毎に行方向および列方向に区画されているプラズマディスプレイパネルでは、各単位発光領域の間が閉じられている場合には、製造時の排気工程の際にそれぞれの単位発光領域内の空気が排出されず、排出されてもパネルの周縁部と中央部とで排出むらが発生して製造工程時間が非常に長くなってしまうという問題が発生し、また、各単位発光領域が互いに連通されている場合には、製造工程における排気はスムースに行われるが、製造後、単位発光領域内において放電が発生されて画像表示が行われる際に、各単位発光領域が互いに連通されていることによって隣接する他の単位発光領域で誤放電が発生する虞がある。
【００２３】
これらの問題点について、上記実施形態のプラズマディスプレイパネルによれば、列方向において隣接している単位発光領域の間を区画する隔壁の横壁部に通気路が形成され、この通気路の列方向において両側に位置する単位発光領域のうち、一方の単位発光領域のみがそれぞれ通気路に連通されているので、製造工程における単位発光領域内からの排気が通気路を介して短時間で行われるとともに、排気むらを発生させる虞がない。
【００２４】
そして、通気路が隔壁の横壁部に形成されることによって、この通気路の幅や高さを排気に必要な十分な大きさに設定することが可能になる。
【実施例１】
【００２５】
図２ないし５は、この発明による面放電方式交流型ＰＤＰの実施形態における第１の実施例を示しており、図２はこの第１実施例におけるＰＤＰのパネル構造を模式的に示す正面図、図３は図２のＶ１−Ｖ１線における断面図、図４は図２のＶ２−Ｖ２線における断面図、図５は図２のＷ１−Ｗ１線における断面図である。
【００２６】
この図２ないし５において、表示面である前面ガラス基板１０の背面に、複数の行電極対（Ｘ１，Ｙ１）が、前面ガラス基板１０の行方向（図２の左右方向）に延びるように平行に配列されている。
【００２７】
行電極Ｘ１は、Ｔ字形状に形成されたＩＴＯ等の透明導電膜からなる突出電極Ｘ１ａと、前面ガラス基板１０の行方向に延びて突出電極Ｘ１ａの狭小の基端部に接続された金属膜からなるバス電極Ｘ１ｂとによって構成されている。
【００２８】
行電極Ｙ１も同様に、Ｔ字形状に形成されたＩＴＯ等の透明導電膜からなる突出電極Ｙ１ａと、前面ガラス基板１０の行方向に延びて突出電極Ｙ１ａの狭小の基端部に接続された金属膜からなるバス電極Ｙ１ｂとによって構成されている。
【００２９】
この行電極Ｘ１とＹ１は、前面ガラス基板１０の列方向（図２の上下方向）に交互に配列されており、バス電極Ｘ１ｂとＹ１ｂに沿って並設されたそれぞれの突出電極Ｘ１ａとＹ１ａが、互いに対となる相手の行電極側に延びて、突出電極Ｘ１ａとＹ１ａの幅広部の頂辺が、それぞれ所要の幅の放電ギャップｇ１を介して互いに対向されている。
【００３０】
この各行電極対（Ｘ１，Ｙ１）毎に、行方向に延びる表示ラインＬ１がそれぞれ構成される。
【００３１】
前面ガラス基板１０の背面には、さらに、行電極対（Ｘ１，Ｙ１）を被覆するように誘電体層１１が形成されており、この誘電体層１１の背面には、互いに隣接している行電極対（Ｘ１，Ｙ１）間において背中合わせに位置しているバス電極Ｘ１ｂとＹ１ｂおよびこの背中合わせのバス電極Ｘ１ｂとＹ１ｂの間の部分に対向する位置に、黒色または暗色の誘電材料によって誘電体層１１の背面側に突出するとともにバス電極Ｘ１ｂおよびＹ１ｂと平行に延びる帯状の第１嵩上げ誘電体層１２がそれぞれ形成されている。
【００３２】
この第１嵩上げ誘電体層１２の背面側には、バス電極Ｙ１ｂに対向する位置に、第１嵩上げ誘電体層１２の背面側に突出するとともにバス電極Ｙ１ｂと平行に延びる帯状の第２嵩上げ誘電体層１３が形成されている。
【００３３】
さらに、誘電体層１１の背面には、行電極対（Ｘ１，Ｙ１）のバス電極Ｘ１ｂ，Ｙ１ｂに沿って等間隔に配置されている各突出電極Ｘ１ａ，Ｙ１ａのそれぞれの間の中央位置に対向する位置において、各行電極対（Ｘ１，Ｙ１）毎にバス電極Ｘ１ｂ，Ｙ１ｂに対向する位置の間を列方向に延びる帯状の第３嵩上げ誘電体層１４が形成されている（図４参照）。
【００３４】
そして、この誘電体層１１と第１嵩上げ誘電体層１２，第２嵩上げ誘電体層１３，第３嵩上げ誘電体層１４の背面側には、ＭｇＯからなる図示しない保護層が形成されている。
【００３５】
一方、前面ガラス基板１０と平行に配置された背面ガラス基板１５の表示側の面上には、列電極Ｄ１が、各行電極対（Ｘ１，Ｙ１）の互いに対となった突出電極Ｘ１ａおよびＹ１ａに対向する位置において行電極対（Ｘ１，Ｙ１）と直交する方向（列方向）に延びるように、互いに所定の間隔を開けて平行に並設されている。
【００３６】
背面ガラス基板１５の表示側の面上には、さらに、列電極Ｄ１を被覆する白色の列電極保護層１６が形成され、さらに、この列電極保護層１６上に下記に詳述するような形状を有する隔壁１７が形成されている。
【００３７】
すなわち、隔壁１７は、各行電極対（Ｘ１，Ｙ１）に対向する部分毎に、バス電極Ｘ１ｂとＹ１ｂにそれぞれ対向する位置において行方向に延びる二本の平行な横壁１７Ａａ，１７Ａｂと、互いに平行に並設された各列電極Ｄ１の間の部分に対向する位置において横壁１７Ａａと１７Ａｂの間を列方向に延びる複数の縦壁１７Ｂとによって、略梯子形状に成形されている。
【００３８】
そして、この隔壁１７の横壁１７Ａａ，１７Ａｂと縦壁１７Ｂによって、放電セルＣ１が方形に区画されている。
【００３９】
この略梯子形状の各隔壁１７は、列方向において隣接する他の隔壁１７との間（互いに背中合わせに位置する横壁１７Ａａと１７Ａｂの間）に行方向に延びる所要の幅の隙間を空けて列方向に並設されており、この隔壁１７間の隙間が通気路ＡＷ１を構成している。
【００４０】
この背面ガラス基板１５上に形成された隔壁１７は、バス電極Ｙ１ｂに対向する位置に位置される一方の横壁１７Ａｂが第２嵩上げ誘電体層１３を被覆している保護層に当接されていて、この横壁１７Ａｂおよび第２嵩上げ誘電体層１３を挟んでその両側に位置する放電セルＣ１と通気路ＡＷ１との間が閉じられているが、他方の横壁１７Ａａは第１嵩上げ誘電体層１２を被覆している保護層には当接されておらず、その間に、横壁１７Ａａを挟んでその両側に位置する放電セルＣ１と通気路ＡＷ１を連通する連通部ＡＣ１が形成されている。
【００４１】
さらに、隔壁１７の縦壁１７Ｂは、第３嵩上げ誘電体層１４を被覆している保護層に当接されていて、互いに行方向に隣接している放電セルＣ１の間が閉じられている。
【００４２】
各放電セルＣ１内に面する列電極保護層１５の表面と横壁１７Ａａ，１７Ａｂ，縦壁１７Ｂの側面には、赤，緑，青に色分けされた蛍光体層１８がそれぞれ形成されている。
【００４３】
上記ＰＤＰは、製造工程において、行電極対（Ｘ１，Ｙ１）と誘電体層１１，第１嵩上げ誘電体層１２，第２嵩上げ誘電体層１３，第３嵩上げ誘電体層１４，保護層が形成された前面ガラス基板１０と、列電極Ｄ１と列電極保護層１６，隔壁１７，蛍光体層１８が形成された背面ガラス基板１５とが、それぞれの構造物が形成されている内面側が対向された状態で平行に重ね合わされて、その周囲を封着されることによって、前面ガラス基板１０と背面ガラス基板１５の間に形成される放電空間が密閉される。
【００４４】
このとき、前面ガラス基板１０側に形成されているバス電極Ｘ１ｂに背面ガラス基板１５側に形成されている隔壁１７の横壁１７Ａａが対向され、バス電極Ｙ１ｂが横壁１７Ａｂに対向されて、横壁１７Ａｂに第２嵩上げ誘電体層１３が当接されるように位置決めされている。
【００４５】
この後、背面ガラス基板１５に形成された排気孔に排気管が連結され、この排気管に接続された真空ポンプによって、前面ガラス基板１０と背面ガラス基板１５の間の放電空間内からの排気が行われる。
【００４６】
そして、その後に、排気によって真空状態になった放電空間内に放電ガスが導入される。
【００４７】
この放電空間内から排気を行う排気工程時には、各放電セルＣ１内の空気は、図６に示されるように、それぞれ連通部ＡＣ１を通って通気路ＡＷ１内に流れ、この通気路ＡＷ１内を通って背面ガラス基板１５に形成された図示しない排気口から排気される。
【００４８】
この排気工程の後、排気口から放電空間内に放電ガスが導入され、この放電ガスは、通気路ＡＷ１を通ってそれぞれの連通部ＡＣ１から各放電セルＣ１内に拡散される。
【００４９】
以上のように、上記ＰＤＰによれば、隣接する隔壁１７間に通気路ＡＷ１が形成され、この通気路ＡＷ１と各放電セルＣ１とを連通する連通部ＡＣ１が、第２嵩上げ誘電体層１３と横壁１７Ａｂとが当接されて第１嵩上げ誘電体層１２と横壁１７Ａａとの間に隙間が開けられることによって形成されるので、通気路ＡＷ１と連通部ＡＣ１の幅や高さを何れも所要の大きさに設定することが出来る。
【００５０】
これによって十分な排気経路が確保されて、製造時の排気工程においてパネルの周縁部と中央部との間に排気むらが発生する虞が無くなるので、排気工程の工程時間を短縮することが出来るようになる。
【００５１】
さらに、上記ＰＤＰによれば、列方向において隣接する放電セルＣ１の間が、第２嵩上げ誘電体層１３と横壁１７Ａｂが当接されていることによって閉じられているので、任意の放電セルＣ１内においてアドレス放電やサステイン放電が発生される際に、隣接する他の放電セルＣ１内において誤放電が発生するのが防止される。
【００５２】
また、通気路ＡＷ１は、そのパネル表示面側が黒色または暗色の第１嵩上げ誘電体層１２によってカバーされているので、この通気路ＡＷ１が形成されているパネルの非表示領域に入射する外光の反射が防止されて、表示画像のコントラストを向上させることが出来る。
【００５３】
図７は、上記実施例の変形例を、ＰＤＰを図３と同じ位置で断面して示す断面図である。
【００５４】
前記実施例のＰＤＰにおいては、列方向において隣接する隔壁１７の背中合わせに位置している横壁１７Ａａと１７Ａｂが互いに分離されて別体となるように形成されているのに対し、この図７の例のＰＤＰは、列方向において隣接する隔壁２７の背中合わせに位置している横壁２７Ａａと２７Ａｂの背面ガラス基板１５側の端縁部分が連結されて一体的に形成されており、通気路ＡＷ２が、横壁２７Ａａ，２７Ａｂおよびこの横壁２７Ａａと２７Ａｂの連結部分によって三方を囲まれた形状に成形されている。
【００５５】
この図７において、図２ないし５のＰＤＰと同一の構成部分については同一の符号が付されている。
【００５６】
この例のＰＤＰも、第１嵩上げ誘電体層１２と横壁２７Ａｂとの間に形成される連通部ＡＣ１によって放電セルＣ１と通気路ＡＷ２が連通されて、製造時の排気工程における排気が、この連通部ＡＣ１と通気路ＡＷ２を介して行われる。
【実施例２】
【００５７】
図８ないし１１は、この発明によるＰＤＰの第２の実施例を模式的に表す図であり、図８はこの第２実施例におけるＰＤＰのセル構造の一部を示す正面図、図９は図８のＶ３−Ｖ３線における断面図、図１０は図８のＶ４−Ｖ４線における断面図、図１１は図８のＷ２−Ｗ２線における断面図である。
【００５８】
この図８ないし１１に示されるＰＤＰは、表示面である前面ガラス基板３０の背面に、複数の行電極対（Ｘ２，Ｙ２）が、前面ガラス基板３０の行方向（図８の左右方向）に延びるように平行に配列されている。
【００５９】
行電極Ｘ２は、Ｔ字形状に形成されたＩＴＯ等の透明導電膜からなる突出電極Ｘ２ａと、前面ガラス基板３０の行方向に延びて突出電極Ｘ２ａの幅が小さい基端部に接続された金属膜からなるバス電極Ｘ２ｂによって構成されている。
【００６０】
行電極Ｙ２も同様に、Ｔ字形状に形成されたＩＴＯ等の透明導電膜からなる第１突出電極Ｙ２ａと、前面ガラス基板３０の行方向に延びて第１突出電極Ｙ２ａの幅が小さい基端部に接続された金属膜からなるバス電極Ｙ２ｂと、第１突出電極Ｙ２ａと一体的に形成されてバス電極Ｙ２ｂに対して第１突出電極Ｙ２ａと反対側の列方向に延びる第２突出電極Ｙ２ｃによって構成されている。
【００６１】
この行電極Ｘ２とＹ２は、前面ガラス基板３０の列方向（図８の上下方向、および、図９の左右方向）に交互に配列されており、バス電極Ｘ２ｂとＹ２ｂに沿って等間隔に並列されたそれぞれの突出電極Ｘ２ａと第１突出電極Ｙ２ａが、互いに対となる相手の行電極側に延びて、突出電極Ｘ２ａと第１突出電極Ｙ２ａの幅広の先端部分が、それぞれ所要の幅の第１放電ギャップｇ２を介して互いに対向されている。
【００６２】
この各行電極対（Ｘ２，Ｙ２）毎に、行方向に延びる表示ラインＬ２がそれぞれ構成される。
【００６３】
前面ガラス基板３０の背面には、行電極対（Ｘ２，Ｙ２）を被覆するように誘電体層３１が形成されており、この誘電体層３１の背面側には、列方向において互いに隣接する行電極対（Ｘ２，Ｙ２）の背中合わせに位置するバス電極Ｘ２ｂ，Ｙ２ｂおよびこの背中合わせのバス電極Ｘ２ｂとＹ２ｂの間の領域部分に対向する位置に、黒色または暗色の誘電材料によって形成されて誘電体層３１から背面側（図９および１０において下方側）に向かって突出する帯状の第１嵩上げ誘電体層３２が、バス電極Ｘ２ｂ，Ｙ２ｂに対して行方向に平行に延びるように形成されている。
【００６４】
この第１嵩上げ誘電体層３２の背面側には、行電極Ｘ２のバス電極Ｘ２ｂに対向する位置に、第１嵩上げ誘電体層３２から背面側（図９および１０において下方側）に向かって突出する帯状の第２嵩上げ誘電体層３３が、バス電極Ｘ２ｂに対して行方向に平行に延びるように形成されている。
【００６５】
さらに、誘電体層３１の背面には、行電極対（Ｘ２，Ｙ２）のバス電極Ｘ２ｂ，Ｙ２ｂに沿って等間隔に配置されている各突出電極Ｘ２ａ，第１突出電極Ｙ２ａの間の中間位置に対向する位置において、各行電極対（Ｘ２，Ｙ２）毎に突出電極Ｘ２ａと第１突出電極Ｙ２ａに対向する位置の間を列方向に延びる帯状の第３嵩上げ誘電体層３４が形成されている。
【００６６】
そして、この誘電体層３１と第１嵩上げ誘電体層３２，第２嵩上げ誘電体層３３，第３嵩上げ誘電体層３４の背面側は、ＭｇＯからなる図示しない保護層によって被覆されている。
【００６７】
一方、前面ガラス基板３０と平行に配置された背面ガラス基板３５の表示側の面上には、列電極Ｄ２が、各行電極対（Ｘ２，Ｙ２）の互いに対となった突出電極Ｘ２ａと第１突出電極Ｙ２ａおよび第２突出電極Ｙ２ｃに対向する位置において行電極対（Ｘ２，Ｙ２）と直交する方向（列方向）に延びるように、互いに所定の間隔を開けて平行に並設されている。
【００６８】
背面ガラス基板３５の表示側の面上には、さらに、列電極Ｄ２を被覆する白色の列電極保護層３６が形成され、この列電極保護層３６上に、下記に詳述するような形状を有する隔壁３７が形成されている。
【００６９】
すなわち、隔壁３７は、前面ガラス基板３０の表示面側から見て、各行電極Ｘ２のバス電極Ｘ２ｂおよび第２嵩上げ誘電体層３３と対向する位置においてそれぞれ行方向に延びる第１横壁３７Ａａと、各行電極Ｙ２のバス電極Ｙ２ｂと対向する位置においてそれぞれ行方向に延びる第２横壁３７Ａｂと、互いに隣接する行電極対（Ｘ２，Ｙ２）の間の領域部分に対向する位置においてそれぞれ行方向に延びる第３横壁３７Ａｃと、行電極Ｘ２，Ｙ２のバス電極Ｘ２ｂ，Ｙ２ｂに沿って等間隔に配置された各突出電極Ｘ２ａ，第１突出電極Ｙ２ａ，第２突出電極Ｙ２ｃの間の中間位置と対向する位置において、第１横壁３７Ａａと第３横壁３７Ａｃ間をそれぞれ列方向に延びる複数の縦壁３７Ｂとによって、略格子形状に形成されている。
【００７０】
そして、この隔壁３７の第１横壁３７Ａａおよび第２横壁３７Ａｂ，二本の縦壁３７Ｂによって表示放電セルＣ２が区画され、第２横壁３７Ａｂおよび第３横壁３７Ａｃ，二本の縦壁３７Ｂによってアドレス放電セルＣ３が区画されている。
【００７１】
この略格子形状の各隔壁３７は、列方向において隣接する他の隔壁３７との間（互いに背中合わせに位置する第１横壁３７Ａａと第３横壁３７Ａｃの間）に行方向に延びる所要の幅の隙間を空けて列方向に並設されており、この各隔壁３７間の隙間が通気路ＡＷ３を構成している。
【００７２】
この背面ガラス基板３５上に形成された隔壁３７は、バス電極Ｘ２ｂに対向する位置に位置される第１横壁３７Ａａが第２嵩上げ誘電体層３３を被覆している保護層に当接されていて、この第１横壁３７Ａａと第２嵩上げ誘電体層３３を挟んでその両側に位置する表示放電セルＣ２と通気路ＡＷ３との間が閉じられているが、第２横壁３７Ａｂおよび第３横壁３７Ａｃは、双方とも、第１嵩上げ誘電体層３２を被覆している保護層には当接されておらず、表示放電セルＣ２とアドレス放電セルＣ３は、第２横壁３７Ａｂと第１嵩上げ誘電体層３２との間に形成される連絡部ＡＲを介して連通されている。
【００７３】
さらに、第３横壁３７Ａｃは、第１嵩上げ誘電体層３２を被覆している保護層には当接されておらず、この第３横壁３７Ａｃと第１嵩上げ誘電体層３２を被覆する保護層との間に、第３横壁３７Ａｃを挟んでその両側に位置するアドレス放電セルＣ３と通気路ＡＷ３を連通する連通部ＡＣ２が形成されている。
【００７４】
隔壁３７の縦壁３７Ｂは、第３嵩上げ誘電体層３４を被覆している保護層に当接されていて、それぞれ行方向に隣接している表示放電セルＣ２およびアドレス放電セルＣ３の間が閉じられている。
【００７５】
各表示放電セルＣ２内に面する列電極保護層３５の表面と第１横壁３７Ａａおよび第２横壁３７Ａｂ，二本の縦壁３７Ｂの側面には、赤，緑，青に色分けされた蛍光体層３８がそれぞれ形成されている。
【００７６】
上記ＰＤＰは、製造工程において、行電極対（Ｘ２，Ｙ２）と誘電体層３１，第１嵩上げ誘電体層３２，第２嵩上げ誘電体層３３，第３嵩上げ誘電体層３４，保護層が形成された前面ガラス基板３０と、列電極Ｄ２と列電極保護層３６，隔壁３７，蛍光体層３８が形成された背面ガラス基板３５とが、それぞれの構造物が形成されている側の面が対向された状態で平行に重ね合わされて、その周囲を封着されることによって、前面ガラス基板３０と背面ガラス基板３５の間に形成される放電空間が密閉される。
【００７７】
このとき、前面ガラス基板３０側に形成されているバス電極Ｘ２ｂに背面ガラス基板３５側に形成されている隔壁３７の第１横壁３７Ａａが対向され、バス電極Ｙ２ｂが第２横壁３７Ａｂに対向されて、第１横壁３７Ａａに第２嵩上げ誘電体層３３が当接されるように位置決めされており、これによって、放電ギャップｇ２を介して対向している突出電極Ｘ２ａと第１突出電極Ｙ２ａに表示放電セルＣ２が対向され、第２突出電極Ｙ２ｃがアドレス放電セルＣ３に対向されている。
【００７８】
この後、背面ガラス基板３５に形成された排気孔に排気管が連結され、この排気管に接続された真空ポンプによって、前面ガラス基板３０と背面ガラス基板３５の間の放電空間内からの排気が行われる。
【００７９】
そして、その後に、排気によって真空状態になっている放電空間内への放電ガスの導入が行われる。
【００８０】
この放電空間内から排気を行う排気工程時には、図１２に示されるように、各表示放電セルＣ２内の空気はそれぞれ連絡部ＡＲを通ってアドレス放電セルＣ３内に流れ、アドレス放電セルＣ３内の空気はそれぞれ連通部ＡＣ２を通って通気路ＡＷ３内に流れて、この通気路ＡＷ３内を通って背面ガラス基板３５に形成された図示しない排気口から排気される。
【００８１】
この排気工程の後、排気口から放電空間内に放電ガスが導入され、この放電ガスは、通気路ＡＷ３を通ってそれぞれの連通部ＡＣ２から各表示放電セルＣ２およびアドレス放電セルＣ３内に拡散される。
【００８２】
なお、上記のＰＤＰにおいては、放電セルが表示放電セルＣ２とアドレス放電セルＣ３に分離して構成されていることにより、アドレス放電セルＣ３内において第２突出電極Ｙ２ｃと列電極Ｄ２との間でリセット放電およびアドレス放電が発生されて、このアドレス放電セルＣ３内から連絡部ＡＲを通って表示放電セルＣ２内に荷電粒子が導入され、表示放電セルＣ２内において透明電極Ｘ２ａとＹ２ａの間でサステイン放電が発生される。
【００８３】
以上のように、上記ＰＤＰによれば、隣接する隔壁３７間に通気路ＡＷ３が形成され、この通気路ＡＷ３と各表示放電セルＣ２およびアドレス放電セルＣ３とを連通する連通部ＡＣ２が、第２嵩上げ誘電体層３３を第１横壁３７Ａａに当接させることによって形成されるので、通気路ＡＷ３と連通部ＡＣ２の幅や高さを排気に十分な所要の大きさに設定することが出来る。
【００８４】
これによって十分な排気経路が確保されて、製造時の排気工程においてパネルの周縁部と中央部との間に排気むらが発生する虞が無くなるので、排気工程の工程時間を短縮することが出来るようになる。
【００８５】
さらに、上記ＰＤＰによれば、対になった表示放電セルＣ２とアドレス放電セルＣ３によって構成される放電セルと、列方向において隣接する他の放電セルとの間が、第２嵩上げ誘電体層３３と第１横壁３７Ａａが当接されていることによって閉じられているので、任意の放電セルの表示放電セルＣ２およびアドレス放電セルＣ３内においてアドレス放電やサステイン放電が発生される際に、隣接する他の放電セル内において誤放電が発生するのが防止される。
【００８６】
また、通気路ＡＷ３およびアドレス放電セルＣ３は、そのパネル表示面側が黒色または暗色の第１嵩上げ誘電体層３２によってカバーされているので、この通気路ＡＷ３およびアドレス放電セルＣ２が形成されているパネルの非表示領域に入射する外光の反射が防止されて、表示画像のコントラストを向上させることが出来る。
【００８７】
図１３は、上記実施例の変形例を、ＰＤＰを図９と同じ位置で断面して示す断面図である。
【００８８】
上記実施例のＰＤＰにおいては、列方向において隣接する隔壁３７の背中合わせに位置している第１横壁３７Ａａと第３横壁３７Ａｃが互いに分離されて別体となるように形成されているのに対し、この図１３の例のＰＤＰは、列方向において隣接する隔壁４７の背中合わせに位置している第１横壁４７Ａａと第３横壁４７Ａｃの背面ガラス基板３５側の端縁部分が連結されて一体的に形成されており、通気路ＡＷ４が、第１横壁４７Ａａおよび第３横壁４７Ａｃとこの第１横壁４７Ａａと第３横壁４７Ａｃの連結部分によって三方を囲まれた形状に成形されている。
【００８９】
この図１３において、図８ないし１１のＰＤＰと同一の構成部分については同一の符号が付されている。
【００９０】
この例のＰＤＰも、第１嵩上げ誘電体層３２と第３横壁４７Ａｃとの間に形成される連通部ＡＣ２によって表示放電セルＣ２およびアドレス放電セルＣ３と通気路ＡＷ４が連通されて、製造時の排気工程における排気が、この連通部ＡＣ２と通気路ＡＷ４を介して行われる。
【図面の簡単な説明】
【００９１】
【図１】従来のＰＤＰの構成を示す斜視図である。
【図２】この発明の第１実施例を示す正面図である。
【図３】図２のＶ１−Ｖ１線における断面図である。
【図４】図２のＶ２−Ｖ２線における断面図である。
【図５】図２のＷ１−Ｗ１線における断面図である。
【図６】同実施例における製造工程時の排気経路を示す説明図である。
【図７】この発明の第１実施例の変形例を示す断面図である。
【図８】この発明の第２実施例を示す正面図である。
【図９】図８のＶ３−Ｖ３線における断面図である。
【図１０】図８のＶ４−Ｖ４線における断面図である。
【図１１】図８のＷ２−Ｗ２線における断面図である。
【図１２】同実施例における製造工程時の排気経路を示す説明図である。
【図１３】この発明の第２実施例の変形例を示す断面図である。
【符号の説明】
【００９２】
１０，３０                …前面ガラス基板（基板）
１１，３１                …誘電体層
１２，３２                …第１嵩上げ誘電体層（光吸収層）
１３，３３                …第２嵩上げ誘電体層
１４、３４                …第３嵩上げ誘電体層
１５，３５                …背面ガラス基板（基板）
１６，３６                …列電極保護層
１７，３７                …隔壁
１７Ａａ，１７Ａｂ，２７Ａａ，２７Ａｂ
…横壁（横壁部）
１７Ｂ                    …縦壁
１８                      …蛍光体層
３７Ａａ，４７Ａａ        …第１横壁（横壁部）
３７Ａｂ                  …第２横壁（仕切壁）
３７Ａｃ，４７Ａｃ        …第３横壁（横壁部）
３７Ｂ                    …縦壁
３８                      …蛍光体層
ＡＷ１，ＡＷ２、ＡＷ３，ＡＷ４
…通気路
ＡＣ１，ＡＣ２            …連通部
ＡＲ                      …連絡部
Ｃ１                      …放電セル（単位発光領域）
Ｃ２                      …表示放電セル（単位発光領域）
Ｃ３                      …アドレス放電セル（単位発光領域）
Ｄ１，Ｄ２                …列電極
Ｘ１，Ｙ１，Ｘ２，Ｙ２    …行電極
Ｘ１ａ，Ｘ２ａ            …突出電極
Ｘ１ｂ，Ｘ２ｂ            …バス電極
Ｙ１ａ                    …突出電極
Ｙ２ａ                    …第１突出電極
Ｙ１ｂ，Ｙ２ｂ            …バス電極
Ｙ２ｃ                    …第２突出電極
【図１】
2005174659.tif 000003
【図２】
2005174659.tif 000004
【図３】
2005174659.tif 000005
【図４】
2005174659.tif 000006
【図５】
2005174659.tif 000007
【図６】
2005174659.tif 000008
【図７】
2005174659.tif 000009
【図８】
2005174659.tif 000010
【図９】
2005174659.tif 000011
【図１０】
2005174659.tif 000012
【図１１】
2005174659.tif 000013
【図１２】
2005174659.tif 000014
【図１３】
2005174659.tif 000015